(57)【要約】      （修正有）【課題】照明灯本体を３６０度回転が可能とするだけでなく、照明灯本体を所望する照射角度に安定して固定維持することができるＬＥＤ照明灯の回転固定装置を提供する。【解決手段】多数個のＬＥＤが直線状に配列されて形成された照明灯本体２０と、前記照明灯本体２０の両端部にそれぞれ設けられた一対のブラケット２２ｂ等を具備したＬＥＤ照明灯の回転固定装置であって、前記照明灯本体２０の一端部と、前記一対のブラケット２２ｂ等のうちのいずれか一方のブラケットの間には、磁性体３０が介在されている。【選択図】図６
0003147547.tif 000002
【実用新案登録請求の範囲】
【請求項１】
多数個のＬＥＤが直線状に配列されて形成された照明灯本体と、
前記照明灯本体の両端部にそれぞれ設けられた一対のブラケットとを具備したＬＥＤ照明灯の回転固定装置であって、
前記照明灯本体の一端部と、前記一対のブラケットのうちのいずれか一方のブラケットとの間には、磁性体が介在されていることを特徴とするＬＥＤ照明灯の回転固定装置。
【請求項２】
前記照明灯本体の他端部と、前記一対のブラケットのうちの他方のブラケットとの間には、また異なる磁性体が介在されていることを特徴とする請求項１に記載のＬＥＤ照明灯の回転固定装置。
【請求項３】
前記照明灯本体の両端部には、それぞれ突起部が前記一対のブラケットの外側に突出して形成されており、また、前記照明灯本体のいずれか一端部に形成された突起部には、電源供給線が貫通していることを特徴とする請求項１又は請求項２に記載のＬＥＤ照明灯の回転固定装置。
【請求項４】
前記突起部の外周には、溝部が形成され、前記溝部の周囲には、離脱防止ピンが嵌め込まれ固定されていることを特徴とする請求項３に記載のＬＥＤ照明灯の回転固定装置。
【請求項５】
前記一対のブラケットが付着される壁体などに付着用金具を固定させておき、前記磁性体の磁性によって前記一対のブラケットを前記付着用金具に固定付着することを特徴とする請求項２に記載のＬＥＤ照明灯の回転固定装置。
【請求項６】
前記付着用金具は磁性体であることを特徴とする請求項５に記載のＬＥＤ照明灯の回転固定装置。
【請求項７】
前記付着用金具の前記ブラケットが取り付けられる面には、該ブラケットが嵌め込まれる凹部が形成されていることを特徴とする請求項５又は請求項６に記載のＬＥＤ照明灯の回転固定装置。
【考案の詳細な説明】
【技術分野】
【０００１】
本発明は、ＬＥＤ（Light Emitting Diode、発光ダイオード）照明灯の回転固定装置に関するものであって、さらに詳細には、ＬＥＤ照明灯を照射位置又は照射方向に関わらず３６０度回転可能とするだけでなく、回転した角度の位置を安定して固定維持することができるＬＥＤ照明灯の回転固定装置に関するものである。
【背景技術】
【０００２】
ＬＥＤ照明灯の回転固定装置は、多数個のＬＥＤが直線状に配列されて形成された棒状のＬＥＤ照明灯(以下、「照明灯」とも言う)を回転及び固定させるための装置である。
従来、このような照明灯の回転固定装置では、ネジ又は締り嵌めなどの機械的な締結方法により照明灯本体をブラケット上に支持させるので、照明灯本体の照射角度が一定範囲に限られるだけでなく、照明灯の使用時間が経過するにつれて、照明灯本体を支持する機械的な締結部位の磨耗などによる間隙により、照明灯本体を特定の回転された位置に安定して固定維持させることができないという問題点があった。
【０００３】
具体的には、図１に示すように、照明灯本体２の両端部に断面が「く」の字形であるブラケット６ａ、６ｂをネジなどの締結手段を用いて、当該照明灯本体２に対して回転可能に付着する。図２は、このような従来の照明灯の回転固定装置における照明灯本体２の一端部に付着されたブラケット６ａの付着状態をさらに詳細に示したものである。すなわち、断面が「く」の字形のブラケット６ａがネジ３により照明灯本体２の一端部に固定されている。同図において、符号７は照明灯本体２の一端部に付着されたブラケット６ａを付着しようとする壁体、例えば、展示場の壁面、装飾棚の壁面などにネジ固定することができるネジ固定ホールである。
【０００４】
ところで、このような構造の照明灯の回転固定装置においては、図３に示すように、照明灯本体２の他端部に形成された断面が「く」の字形のブラケット６ｂ内へ照明灯本体２に電流を供給するための電源供給線８が貫通して外部側に露出されており、照明灯本体２又はブラケット６ｂの回転時、この電源供給線８がブラケット６ｂ上に形成された切欠部との干渉により照明灯本体２又はブラケット６ｂの回転角度が一定の範囲に限られるという問題点がある。
【０００５】
すなわち、断面が「く」の字形のブラケット６ｂは、照明灯本体２の端部側で旋回運動するように偏心された位置にネジ３により締結固定されているので、電源供給線８から遠くなる方向には回転が自在であるが、電源供給線８に近接する方向にはブラケット６ｂ上に形成された切欠部が電源供給線８と接触して干渉を起し、照明灯本体２又はブラケット６ｂをそれ以上回転させられなくなる。このとき、無理に力を加えて照明灯本体２又はブラケット６ｂを回転させると、電源供給線８がブラケット６ｂ上に形成された切欠部により折り曲がることになり、このような動作が繰り返し行われると、やがて電源供給線８が断線するという問題点も発生する。
【０００６】
また、ブラケット６ａ、６ｂと照明灯本体２がネジ３により締結された構造においては、照明灯本体２がブラケット６ａ、６ｂ上にネジ３の締め付け力により一定の照射位置に固定されるが、この照射角度の度重なる変更時には、ネジ３の締め付け力が低下し、照明灯本体２の自重などにより照明灯本体２を所望する照射位置に安定して維持することができないという問題点もある。
【考案の開示】
【考案が解決しようとする課題】
【０００７】
したがって、本考案は、上述したような従来技術の問題点に鑑みて創案されたものであって、その目的は、照明灯本体を３６０度回転が可能とするだけでなく、照明灯本体を所望する照射角度に安定して固定維持することができるＬＥＤ照明灯の回転固定装置を提供することにある。
【課題を解決するための手段】
【０００８】
本考案は、上記目的を達成するために、多数個のＬＥＤが直線状に配列されて形成された照明灯本体と、前記照明灯本体の両端部にそれぞれ設けられた一対のブラケットとを具備したＬＥＤ照明灯の回転固定装置であって、前記照明灯本体の一端部と、前記一対のブラケットのうちのいずれか一方のブラケットとの間には、磁性体が介在されていることを特徴とするＬＥＤ照明灯の回転固定装置を提供する。
【０００９】
このようなＬＥＤ照明灯の回転固定装置では、ブラケット上に付着された照明灯本体をブラケットの周囲で３６０度自在に回転させ、いかなる角度でも照明灯を照射可能にすると同時に、照明灯本体を特定の照射位置に安定させて固定維持することができるという効果がある。
【００１０】
また、本考案のＬＥＤ照明灯の回転固定装置は、前記照明灯本体の他端部と、前記一対のブラケットのうちの他方のブラケットとの間には、また異なる磁性体が介在されている構成にしてもよい。
【００１１】
このようなＬＥＤ照明灯の回転固定装置では、磁性体を照明灯本体の左右両側の端部に位置させるので、照明灯の回転角度の変更時、変更された位置角度をより確実に固定維持させることができるという効果がある。
【００１２】
さらに、本考案のＬＥＤ照明灯の回転固定装置は、前記照明灯本体の両端部には、それぞれ突起部が前記一対のブラケットの外側に突出して形成されており、また、前記照明灯本体のいずれか一端部に形成された突起部には、電源供給線が貫通している構成にしてもよい。
【００１３】
このようなＬＥＤ照明灯の回転固定装置では、照明灯本体の両端部に形成された突起部を通じて照明灯本体の回転を安定して行うことができ、さらに、電源供給線が突起部を貫通するようにすることにより、照明灯の使用中に電源供給線がブラケットとの干渉により断線することを憂慮せずに、照明灯本体をブラケットの周囲で円滑に回転させることができるという効果がある。
【００１４】
さらに、本考案のＬＥＤ照明灯の回転固定装置は、前記突起部の外周には、溝部が形成され、前記溝部の周囲には、離脱防止ピンが嵌め込まれ固定されている構成にしてもよい。
【００１５】
このようなＬＥＤ照明灯の回転固定装置では、照明灯本体をブラケット上に確実に支持させる効果が得られる。
【００１６】
さらに、本考案のＬＥＤ照明灯の回転固定装置は、前記一対のブラケットが付着される壁体などに付着用金具を固定させておき、前記磁性体の磁性によって前記一対のブラケットを前記付着用金具に固定付着する構成にしてもよい。
【００１７】
このようなＬＥＤ照明灯の回転固定装置では、ブラケットを磁性体により磁化させ、壁体にさらに容易に付着固定させることができる効果がある。
【００１８】
さらに、本考案のＬＥＤ照明灯の回転固定装置は、前記付着用金具は磁性体である構成にしてもよい。
【００１９】
このようなＬＥＤ照明灯の回転固定装置では、付着用金具を磁性体で形成することにより、照明灯本体の両端部に形成されたブラケットを壁体にさらに確実に付着させることができるという効果がある。
【００２０】
さらに、本考案のＬＥＤ照明灯の回転固定装置は、前記付着用金具の前記ブラケットが取り付けられる面には、該ブラケットが嵌め込まれる凹部が形成されている構成にしてもよい。
【００２１】
このようなＬＥＤ照明灯の回転固定装置では、磁性力による付着に加えて、凹部による機械的な付着力を提供することにより、ブラケットを壁体にさらに確実に付着させることができ、付着された状態で安定して維持させることができるという効果が得られる。
【考案を実施するための最良の形態】
【００２２】
以下では、前記のような本考案のＬＥＤ照明灯の回転固定装置を、添付された図面を参照しながらさらに具体的に説明する。
図４は、本考案による回転固定装置が付着された照明灯の全体構造を示した概略図であり、図５は、本考案による回転固定装置における照明灯本体の一端部に付着されたブラケットの付着状態を示す図面であり、図６は、本考案による回転固定装置における電源供給線が貫通する照明灯本体の他端部に付着されたブラケットの付着状態を示す図面であり、図７は、本考案による他の実施例の回転固定装置が付着された照明灯の一部を示す図面である。
【００２３】
図４乃至図６に示すように、本考案の照明灯本体２０は、多数のＬＥＤが長さ方向に直線状に配列されて構成されている。
また、照明灯本体２０の両端には、一定の軸線を中心に照明灯本体２０が相対回転されるように、断面が「く」の字形である金属材のブラケット２２ａ、２２ｂが付着されている。
【００２４】
この断面が「く」の字形のブラケット２２ａ、２２ｂの折り曲げられた一面は、照明灯本体２０上の端部で３６０度回転されるように結合されており、折り曲げられた他の一面には、陳列台の壁面や装飾棚の壁面などの壁体にネジなどの締結手段により固定させることができるネジ固定ホール２４が形成されている。
【００２５】
さらに、照明灯本体２０の両端部と、ブラケット２２ａ、２２ｂとの間には、磁性体３０が照明灯本体２０の各端部に一体として固定されるように介在されている。
このように、照明灯本体２０の各端部に磁性体３０が一体として固定された状態でブラケット２２ａ、２２ｂが回転されるように嵌め込まれて結合されると、このブラケット２２ａ、２２ｂは、磁性体３０の磁性力により回転が拘束される。
【００２６】
すなわち、磁性体３０から発生する磁性力が金属材のブラケット２２ａ、２２ｂを磁性体３０側に引き寄せながら互いに当接され、磁性体３０と一方のブラケット２２ａ、２２ｂ間の相対運動時に、強い面摩擦力を誘発させるので、使用者がブラケット２２ａ、２２ｂ又は照明灯本体２０に、この面摩擦力を超過する力を加える時にのみブラケット２２ａ、２２ｂ又は照明灯本体２０が回転する。
【００２７】
つまり、照明灯本体２０の各端部で回転自在に付着されたブラケット２２ａ、２２ｂを、陳列台の壁面や装飾棚の壁面などの壁体に固定させた後、照明灯本体２０を所望する照射角度に回転させると、ブラケット２２ａ、２２ｂは、この壁体に固定されているので、照明灯本体２０及びブラケット２２ａ、２２ｂとの間に位置して結合されている磁性体３０により、使用者が磁性力より大きい力を加えたときにのみ照明灯本体２０がブラケット２２ａ、２２ｂに相対的に回転運動することができるようになる。
【００２８】
上述した実施形態では、照明灯本体２０の両端部と、この両端部にそれぞれ付着されたブラケット２２ａ、２２ｂとの間に磁性体３０を全て介在させる構成となっているが、本考案はこのような形態のみに限定されるものではないので、照明灯本体２０のいずれか一端部とそれに付着される一方のブラケット２２ａ又は２２ｂとの間だけに磁性体３０を介在させ、この一方の磁性体から発生される磁性力により照明灯本体２０の回転を拘束させることもできるのは言うまでもない。
【００２９】
ただ、照明灯本体２０の両端部と、この両端部にそれぞれ付着されるブラケット２２ａ、２２ｂとの間に、それぞれ磁性体３０を位置させる場合には、２つの磁性体３０からの磁性力により照明灯本体２０の回転をさらに確実に防止することができる。
【００３０】
また、この照明灯本体２０の両端部に付着されたブラケット２２ａ、２２ｂ内には、図５及び図６に示されているように、照明灯本体２０の両端部から長さ方向に外側に突出された、例えば円筒型の突起部３３が形成されている。
この円筒型の突起部３３は、ブラケット２２ａ、２２ｂの折り曲げられた一面の略中央部を貫通して外側に突出するように形成されている。尚、各突起部３３は、必要に応じて中実の円柱型又は中空の円筒型に形成してもよい。
【００３１】
この突起部３３は、照明灯本体２０の両端部に、磁性体３０が挿入され嵌め込まれた状態で締り嵌めなどの公知の付着手段により一体として固定されている。
また、このブラケット２２ａ、２２ｂの一面から外側に突出されている突起部３３の外周には溝部が形成されており、この溝部の周囲には離脱防止ピン２９が突起部３３の厚さ方向に嵌め込まれて固定される。
【００３２】
また、図６に示すように、この突起部３３の内側の中央部へは、照明灯本体２０の一端部から引き出される電源供給線２８が貫通し、外側に伸びている。
また、突起部３３は、照明灯本体２０の一端部側の厚さ方向の略中央に位置された状態で形成されているので、電源供給線２８が突起部３３を貫通して外側に伸びた状態で照明灯本体２０と共に一体として回転されるだけでなく、一方のブラケット２２ｂの折り曲げられた一面の略中央部を貫通するように電源供給線２８が配置されるので、ブラケット２２ｂと電源供給線２８とは、図６に点線で示されているように、ブラケット２２ｂが左右方向に回転しても互いに干渉を起さない構造を有している。
【００３３】
一方、図７は、本考案による他の実施形態の回転固定装置が付着された照明灯の一部を示したもので、照明灯本体２０が付着されたブラケット２２ａ、２２ｂを展示場の壁面や装飾棚の壁面などの壁体に容易に付着させることができる構造に関するものである。
【００３４】
この他の実施形態では、照明灯本体２０の両端部にそれぞれ付着されたブラケット２２ａ、２２ｂが隣接して設置された磁性体３０により磁化され、当該磁性体３０と同一の磁性を有するようになり、このように磁化されたブラケット２２ａ、２２ｂを用いて、壁体が金属材などからなっている場合には、ブラケット２２ａ、２２ｂを容易に壁体に付着して固定させることができる。
【００３５】
これに反し、壁体が金属材ではなくガラスや、木又は合成樹脂などの非磁性体からなっている場合には、この非磁性体の壁面に両面粘着テープなどのような接着手段を用いて付着用金具５０を壁体の一面に貼り付けた後、この付着用金具５０に隣接した磁性体３０により磁化されたブラケット２２ａ、２２ｂを容易に付着させて固定させることができる。
このように付着用金具５０を用いる場合には、ネジと釘などの付着手段により照明灯を壁体に固定させる必要がないので、壁体を損傷させず容易に照明灯を付着させることができる効果がある。
【００３６】
また、付着用金具５０も磁性体で形成することができ、この場合には、照明灯本体２０に取り付けられた各ブラケット２０ａ、２０ｂの磁性と反対の極性となるようにして、これら両部材の間に引力が発生するようにし、両部材間の固定力をさらに高めることができる。
さらに、付着用金具５０とブラケット２２ａ、２２ｂが接続する面に凹部５２を形成させると、ブラケット２２ａ、２２ｂの一面が凹部５２に嵌め込まれた状態で維持されるので、振動などにより磁性力が低下しても照明灯本体２０が壁体から容易に離脱されない。
【００３７】
さらにまた、付着用金具５０の凹部５２に磁性を有するブラケット２２ａ、２２ｂが嵌め込まれた状態で磁性により互いに引き寄せるように固定されるので、固定力が高くなる。
【００３８】
前記実施形態においては、付着用金具５０に凹部５２を形成させた構成を一例として説明したが、本考案はこれに限定されず、相互補足的な形状からなった結合手段だけでなく、引っ掛け段差などを形成して滑らないように結合させて使用できることは言うまでもない。
【図面の簡単な説明】
【００３９】
【図１】従来の回転固定装置が付着されたＬＥＤ照明灯の全体構造を示した概略図である。
【図２】従来の回転固定装置における照明灯本体の両端部のうちの一方の端部に付着されたブラケットの付着状態を示した図面である。
【図３】従来の回転固定装置における照明灯本体の両端部のうちの他方の端部に付着されて、電源供給線が貫通する他方のブラケットの付着状態を示した図面である。
【図４】本考案による回転固定装置が付着されたＬＥＤ照明灯の全体構造を示した概略図である。
【図５】本考案による回転固定装置における照明灯本体の一端部に付着されたブラケットの付着状態を示す図面である。
【図６】本考案による回転固定装置における電源供給線が貫通する照明灯本体の他端部に付着されたブラケットの付着状態を示す図面である。
【図７】本考案による他の実施例の回転固定装置が付着されたＬＥＤ照明灯の一部を示す図面である。
【符号の説明】
【００４０】
２０    照明灯本体
２２ａ、２２ｂ    ブラケット
２８    電源供給線
３０    磁性体
３３    突起部
５０    付着用金具
５２    凹部
【図１】
0003147547.tif 000003
【図２】
0003147547.tif 000004
【図３】
0003147547.tif 000005
【図４】
0003147547.tif 000006
【図５】
0003147547.tif 000007
【図６】
0003147547.tif 000008
【図７】
0003147547.tif 000009